(57)【要約】【解決手段】食事カートの食事カートベイに連結されるように構成された航空機ギャレーの冷却空気プレナムシステムは、食事カートから還気流を受けるための複数の正中線一次開口及び複数の二次側端開口を備える還気流ダクトを有する還気プレナムを備える。還気流ダクトはまた、カートが食事カートベイの後部に衝突することを防止するため、中央下部弾性戻り止め具と、側端弾性戻り止め具とを備える。還気プレナムは、ギャレー後壁構造に少なくとも一部一体化されることができる。【選択図】図１
2016539040.tif 000002
【特許請求の範囲】
【請求項１】
冷却されたギャレー食事カートベイの前部で対応する航空機ギャレー食事カートを取り外し可能に受けるための前記冷却されたギャレー食事カートベイに連結されるように構成された航空機ギャレーの冷却空気プレナムシステムであって、前記冷却空気プレナムシステムは、
冷却されたギャレー食事カートベイに受けられる航空機ギャレー食事カートに取り外し可能に連結されるように構成されたギャレー冷却器還気プレナムであって、前記ギャレー冷却器還気プレナムは、正中線及び側端を有する還気流ダクトを備え、前記還気流ダクトは、冷却器ユニットへの還気流ダクト吸気口に連結されるように構成される、ギャレー冷却器還気プレナムと、
前記還気流ダクトに規定され、前記還気流ダクトの正中線に沿って配置された複数の一次開口であって、前記複数の一次開口は、前記航空機ギャレー食事カートの後部から還気流を受けるように構成される、複数の一次開口と、
前記還気流ダクトに規定され、前記還気流ダクトの側端に沿って配置された複数の二次開口であって、前記複数の二次開口は、前記航空機ギャレー食事カートの後方側部から還気流を受けるように構成される、複数の二次開口と、
を備える、航空機ギャレーの冷却空気プレナムシステム。
【請求項２】
前記複数の一次開口は、上部正中線一次開口と、中間正中線一次開口と、下部正中線一次開口と、を含み、全て前記還気流ダクトの正中線に沿って中央に配置される、
請求項１に記載の航空機ギャレーの冷却空気プレナムシステム。
【請求項３】
前記複数の二次開口は、複数の上部側端二次開口と、複数の中間側端二次開口と、複数の下部側端二次開口と、を含み、全て前記還気流ダクトの側端に沿って配置される、
請求項１に記載の航空機ギャレーの冷却空気プレナムシステム。
【請求項４】
前記ギャレー冷却器還気プレナムは、冷却されたギャレー食事カートベイの後部で前記冷却されたギャレー食事カートベイに受けられる前記航空機ギャレー食事カートに取り外し可能に連結されるように構成される、
請求項１に記載の航空機ギャレーの冷却空気プレナムシステム。
【請求項５】
前記還気流ダクトは、前記冷却器ユニットへの還気流ダクト吸気口に連結されるように構成された還気流ダクトアダプタを備える、
請求項１に記載の航空機ギャレーの冷却空気プレナムシステム。
【請求項６】
前記還気流ダクトは、前記還気流ダクトの正中線に沿って配置された中央に取り付けられた下部戻り止め具であって、前記カートが前記ギャレー食事カートベイの後部に衝突することを防止するように構成された中央に取り付けられた下部戻り止め具を備える、
請求項１に記載の航空機ギャレーの冷却空気プレナムシステム。
【請求項７】
前記中央に取り付けられた下部戻り止め具は、前記還気流ダクトの、真空形成された取り外し可能なシュノーケル部分に取り付けられる、
請求項６に記載の航空機ギャレーの冷却空気プレナムシステム。
【請求項８】
前記還気流ダクトは、前記還気流ダクトの側端に沿って配置された複数の側端弾性戻り止め具であって、前記カートが前記ギャレー食事カートベイの後部に衝突することを防止するように構成された複数の側端弾性戻り止め具を備える、
請求項１に記載の航空機ギャレーの冷却空気プレナムシステム。
【請求項９】
前記複数の側端弾性戻り止め具は、上部側端突起止め具を含む、
請求項８に記載の航空機ギャレーの冷却空気プレナムシステム。
【請求項１０】
前記複数の側端弾性戻り止め具は、中間側端突起止め具を含む、
請求項８に記載の航空機ギャレーの冷却空気プレナムシステム。
【請求項１１】
前記還気プレナムは、ギャレー後壁構造に少なくとも一部一体化される、
請求項１に記載の航空機ギャレーの冷却空気プレナムシステム。
【請求項１２】
航空機ギャレーの冷却空気プレナムシステムであって、
前部及び後部を有する冷却されたギャレー食事カートベイであって、前記冷却されたギャレー食事カートベイは、前記冷却されたギャレー食事カートベイの前部で対応する航空機ギャレー食事カートを取り外し可能に受けるように構成される、冷却されたギャレー食事カートベイと、
前記冷却されたギャレー食事カートベイに受けられる航空機ギャレー食事カートに取り外し可能に連結されたギャレー冷却器還気プレナムであって、前記ギャレー冷却器還気プレナムは、正中線及び側端を有する還気流ダクトを備え、前記還気流ダクトは、冷却器ユニットへの還気流ダクト吸気口に連結されるように構成される、ギャレー冷却器還気プレナムと、
前記還気流ダクトに規定され、前記還気流ダクトの正中線に沿って配置された複数の一次開口であって、前記複数の一次開口は、前記航空機ギャレー食事カートの後部から還気流を受けるように構成される、複数の一次開口と、
前記還気流ダクトに規定され、前記還気流ダクトの側端に沿って配置された複数の二次開口であって、前記複数の二次開口は、前記航空機ギャレー食事カートの後方側部から還気流を受けるように構成される、複数の二次開口と、
を備える、航空機ギャレーの冷却空気プレナムシステム。
【請求項１３】
前記複数の一次開口は、上部正中線一次開口と、中間正中線一次開口と、下部正中線一次開口とを含み、全て前記還気流ダクトの正中線に沿って中央に配置される、
請求項１２に記載の航空機ギャレーの冷却空気プレナムシステム。
【請求項１４】
前記複数の二次開口は、複数の上部側端二次開口と、複数の中間側端二次開口と、複数の下部側端二次開口とを含み、全て前記還気流ダクトの側端に沿って配置される、
請求項１２に記載の航空機ギャレーの冷却空気プレナムシステム。
【請求項１５】
前記ギャレー冷却器還気プレナムは、冷却されたギャレー食事カートベイの後部で前記冷却されたギャレー食事カートベイに受けられる航空機ギャレー食事カートに取り外し可能に連結されるように構成される、
請求項１２に記載の航空機ギャレーの冷却空気プレナムシステム。
【請求項１６】
前記還気流ダクトは、前記冷却器ユニットへの還気流ダクト吸気口に連結されるように構成された還気流ダクトアダプタを備える、
請求項１２に記載の航空機ギャレーの冷却空気プレナムシステム。
【請求項１７】
前記還気流ダクトは、前記還気流ダクトの正中線に沿って配置された中央に取り付けられた下部戻り止め具と、前記還気流ダクトの側端に沿って配置された複数の側端弾性戻り止め具であって、前記カートが前記ギャレー食事カートベイの後部に衝突することを防止するように構成された複数の側端弾性戻り止め具と、を備え、前記中央に取り付けられた下部戻り止め具及び前記複数の側端弾性戻り止め具は、前記カートが前記ギャレー食事カートベイの後部に衝突することを防止するように構成される、
請求項１２に記載の航空機ギャレーの冷却空気プレナムシステム。
【請求項１８】
前記中央に取り付けられた下部戻り止め具は、前記還気流ダクトの、真空形成された取り外し可能なシュノーケル部分に取り付けられる、
請求項１７に記載の航空機ギャレーの冷却空気プレナムシステム。
【請求項１９】
前記複数の側端弾性戻り止め具は、複数の上部側端突起止め具と、複数の中間側端突起止め具とを含む、
請求項１７に記載の航空機ギャレーの冷却空気プレナムシステム。
【請求項２０】
前記還気プレナムは、ギャレー後壁構造に少なくとも一部一体化される、
請求項１２に記載の航空機ギャレーの冷却空気プレナムシステム。
【発明の詳細な説明】
【技術分野】
【０００１】
関連出願の相互参照
本出願は、２０１３年１０月７日に出願された米国特許出願第６１／８８７，６３３号、及び、２０１４年９月３０日に出願された米国特許出願第１４／５０２，４７０号の優先権を主張し、それらの内容を参照により組み込む。
【背景技術】
【０００２】
本発明は、輸送機ギャレーシステム、特に、客室乗務員によるサービスの前に食事カートを冷却するシステムに関する。
【０００３】
現代の輸送機の航空機ギャレーシステムは、客室乗務員が乗客に提供する前に食料が腐敗することを防止するため、冷却された食事カートを組み込む。これらの食事カートは、一般に、食事カートの内部を冷却するように設計されたギャレーの冷気供給システムとインターフェースをとる。このような冷気供給システムは、冷気を供給するプレナムに食事カートを連結するガスケットによって食事カートとインターフェースをとる。ギャレー冷却システムは、一般的に、ギャレーキャビネットに取り付けられ、冷気が、ギャレー冷却システムから排出され、ギャレーキャビネットのギャレー食事カートの上を、または、ギャレー食事カートを通って循環し、ギャレー冷却システムに戻って、再び、冷却され、排出される。空気が中を通る（エアスルー）ギャレー食事カートは、一般的に、ギャレー食事カートのドアに内蔵されたグリルを備え、内部の食料の上に直接空気を循環させる。
【０００４】
航空機ギャレー内に設置可能で、空気が上を通る（エアオーバー）タイプのギャレー食事カートの空気冷却器によって冷却可能な航空機ギャレーの改善された冷却空気プレナムシステムであって、奥行きが約３５．９から３６．６インチに削減されて設置面積が削減され、ギャレーの後壁に一体化可能なダクト付属品を有し、奥行きが削減されたギャレーの標準的な大きさのエアオーバーカートを冷却する能力を有する、改善された冷却空気プレナムシステムを提供することが望ましい。カートの周囲に効率的な還気経路を提供するため、ギャレー食事カートの後方を横切って延びる、及び、側面の周囲に延びる冷却還気プレナムを提供することも望ましい。カートがギャレーの後部に衝突することを防止するために、中央に取り付けられた、側部弾性戻り止め具を内蔵するダクトを有する冷却還気プレナムを提供することも望ましい。本発明は、これら及び他の要求を満たす。
【発明の概要】
【課題を解決するための手段】
【０００５】
手短に大まかに言うと、本発明は、冷却されたギャレー食事カートベイの前部で対応する航空機ギャレー食事カートを取り外し可能に受けるための冷却されたギャレー食事カートベイに連結されるように構成された航空機ギャレーの冷却空気プレナムシステムを提供する。冷却空気プレナムシステムにより、標準的な大きさのカートを冷却されたカートベイの還気プレナムの中央凹所にさらに挿入することができ、エアオーバー冷却ギャレーの設置面積を削減することができる。冷却還気プレナムは、有利には、航空機ギャレー食事カートの後部及び側面に亘って延び、カートの周囲に効率的な還気経路を提供する。冷却還気プレナムは、航空機ギャレー食事カートがギャレーの後部に衝突することを防止するため、弾性戻り止め具を有する還気ダクトを備える。普通サイズのエアオーバーカートが装着される標準的なギャレーの中心線の最大奥行きは、３５．９から３６．６インチに削減され、還気プレナムは、ギャレー後壁構造に少なくとも一部一体化されることができる。
【０００６】
従って、本発明は、冷却されたギャレー食事カートベイの前部で対応する航空機ギャレー食事カートを取り外し可能に受けるための冷却されたギャレー食事カートベイに連結されるように構成された航空機ギャレーの冷却空気プレナムシステムを提供する。冷却空気プレナムシステムは、冷却されたギャレー食事カートベイに受けられる航空機ギャレー食事カートに取り外し可能に連結されるように構成されたギャレー冷却器還気プレナムを備える。ギャレー冷却器還気プレナムは、冷却器ユニットへの還気流ダクト吸気口に連結されるように構成された還気流ダクトと、還気流ダクトの正中線に沿って配置された複数の一次開口と、航空機ギャレー食事カートの後部及び後方側面部から還気流を受けるように構成され、還気流ダクトの側端に沿って配置された複数の二次開口と、を備える。現在好適な態様において、ギャレー冷却器還気プレナムは、冷却されたギャレー食事カートベイの後部で、航空機ギャレー食事カートに取り外し可能に連結されるように構成される。別の現在好適な態様において、還気流ダクトは、冷却器ユニットへの還気流ダクト吸気口に連結されるように構成された還気流ダクトアダプタを備える。
【０００７】
別の現在好適な態様において、還気流ダクトは、還気流ダクトの正中線に沿って配置された中央に取り付けられた下部戻り止め具であって、カートがギャレー食事カートベイの後部に衝突することを防止するように構成された下部戻り止め具を備え、中央に取り付けられた下部戻り止め具は、還気流ダクトの真空形成された取り外し可能なシュノーケル部分の上に取り付けられてもよい。別の現在好適な態様において、還気流ダクトは、還気流ダクトの側端に沿って配置された複数の側端弾性戻り止め具であって、カートがギャレー食事カートベイの後部に衝突することを防止するように構成された複数の側端弾性戻り止め具を備える。別の現在好適な態様において、複数の側端弾性戻り止め具は、複数の上部側端突起止め具と、複数の中間側端突起止め具とを備える。
【０００８】
別の現在好適な態様において、ギャレー冷却器還気プレナムは、例えば、成形複合材料または真空成形された熱可塑性物質から形成されたプレナム本体を備える。別の現在好適な態様において、還気プレナムは、ギャレー後壁構造に少なくとも一部一体化されている。
【０００９】
本発明の他の特徴および利点が、例として、本発明の動作を図示する添付の図面と合わせて以下の好適な実施形態の詳細な記載から明らかになるだろう。
【図面の簡単な説明】
【００１０】
【図１】本発明に係る航空機ギャレーの冷却空気プレナムシステムを示す概略図である。
【図２】図１の航空機ギャレーの冷却空気プレナムシステムの正面図である。
【図３】図１の航空機ギャレーの冷却空気プレナムシステムの側面図である。
【図４】図１の航空機ギャレーの冷却空気プレナムシステムの平面図である。
【発明を実施するための形態】
【００１１】
限定のためではなく、例示の目的のため提供される図面を参照すると、本発明は、航空機ギャレーの冷却空気プレナムシステム１０を提供し、冷却されたギャレー食事カートベイの前部１４で、（図示しない）対応する航空機ギャレー食事カートを取り外し可能に受けるための冷却されたギャレー食事カートベイ１２を備える。冷却空気プレナムシステムは、冷却されたギャレー食事カートベイに連結されたギャレー冷却器還気プレナム１６であって、冷却されたギャレー食事カートベイの後部１８で航空機ギャレー食事カートに取り外し可能に連結されるように構成されたギャレー冷却器還気プレナム１６を備える。プレナム本体は、例えば、成形複合材料または真空形成された熱可塑性物質から作られてもよい。
【００１２】
ギャレー冷却器還気プレナムは、ギャレー食事カートベイに受けられるギャレー食事カートから（図示しない）冷却器ユニットの蒸発器に気流が戻るための（図示しない）還気流ダクト吸気口に連結されるように構成された還気流ダクトアダプタまたはコネクタ２２を有する還気流ダクト２０を備える。
【００１３】
還気流ダクトは、上部正中線一次開口、スロットまたは孔２４ａ、中間正中線一次開口、スロットまたは孔２４ｂ、及び、下部正中線一次開口、スロットまたは孔２４ｃなどの複数の一次開口、スロットまたは孔２４を備え、それらは全て、還気流ダクトの正中線２６に沿って中央に配置され、航空機ギャレー食事カートの後部から還気流を受けるように構成される。還気流ダクトはまた、有利には、上部側端二次開口、スロットまたは孔２８ａ、中間または中央側端二次開口、スロットまたは孔２８ｂ、及び、下部側端二次開口、スロットまたは孔２８ｃなどの複数の二次開口、スロットまたは孔２８を備え、それらは全て、還気流ダクトの側端３０ａ、３０ｂに沿って配置され、航空機ギャレー食事カートの後部の側端から還気流を受けるように構成されて、ギャレー食事カートの周囲に所望の気流パターンを生成する。還気プレナムは、（図示しない）ギャレー後壁構造に少なくとも一部一体化されることができる。
【００１４】
還気流ダクトはまた、有利には、還気流ダクトの正中線に沿って配置された中央に取り付けられた下部戻り止め具３２であって、カートがギャレー食事カートベイの後部に衝突することを防止するように構成された下部戻り止め具３２を備える。中央に取り付けられた下部戻り止め具は、例えば、還気流ダクトの、真空形成された取り外し可能なシュノーケル部分３４に取り付け可能である。還気流ダクトはまた、有利には、還気流ダクトの側端に沿って配置された複数の側部弾性戻り止め具３６であって、カートがギャレー食事カートベイの後部に衝突することを防止するように構成された、上部側端突起止め具３６ａや中間または中央側端突起止め具３６ｂなどの複数の側部弾性戻り止め具３６を備える。
【００１５】
本発明の特定の形態について例示及び記載したが、種々の改良が、本発明の要旨及び範囲を逸脱しない範囲で可能であることは、前述により明らかであろう。従って、本発明は、添付の特許請求の範囲以外によって限定を受けることを意図されていない。
【図１】
2016539040.tif 000003
【図２】
2016539040.tif 000004
【図３】
2016539040.tif 000005
【図４】
2016539040.tif 000006
【国際調査報告】
2016539040.tif 000007
2016539040.tif 000008
2016539040.tif 000009